(57)【要約】【課題】撮像素子が取付けられた基板を取り外すことなく、容易にフォーカシングスクリーンの位置調整を可能とすることである。【解決手段】ＣＣＤ３７を取り付けてカメラ本体に装着可能なミラーユニット２０をレンズ保持治具１２に取付け、このレンズ保持治具１２の前方に調整用チャート１１を配置する。ミラーユニット２０内のクイックリターンミラー２２を光路から待避させてＣＣＤ３７からの出力信号に基づくコントラスト値が最大となる位置をパーソナルコンピュータ４５に記憶する。そして、調整用チャート１１を基準位置に固定し、クイックリターンミラー２２を光路内に置き、ＣＣＤ３７を移動させて上記コントラスト値が最大となる位置を判定し、判定された位置に基づき、フォーカシングスクリーン２６の調整量を決定する。【選択図】図１
2005084099.tif 000002
【特許請求の範囲】
【請求項１】
カメラ本体と、
上記カメラ本体に装着可能な撮影レンズと、
上記カメラ本体内にあって、上記撮影レンズを通過した被写体光束を受光する撮影用撮像素子と、
上記撮影用撮像素子の撮影光路内にあって、上記被写体光束をファインダ光路に導く第１の位置と、上記撮像光路から退避した第２の位置との間で移動可能な可動ミラーと、
上記撮影レンズの前方に配置された調整用チャートと、
上記可動ミラーを上記第２の位置に移動させた状態で、上記調整用チャートを移動させながら上記撮影用撮像素子からの出力信号に基づくコントラスト値が最大となる位置を判定する第１の判定手段と、
上記ファインダ光路側に配置された測定用撮像素子と、
上記調整用チャートを上記第１の判定手段で決定された位置に固定し、かつ、上記可動ミラーを上記第１の位置に移動させた状態で、上記測定用撮像素子を移動させながら上記測定用撮像素子からの出力信号に基づくコントラスト値が最大となる位置を判定する第２の判定手段と、
上記第２の判定手段で判定された位置に基づいて、フォーカシングスクリーンの調整量を決定する決定手段と、
を具備することを特徴とするデジタル一眼レフカメラに於けるフォーカシングスクリーンの位置調整装置。
【請求項２】
上記決定手段で決定された上記フォーカシングスクリーンの調整量にしたがって、上記フォーカシングスクリーンを固定する際のカンザ量を決定することを特徴とする請求項１に記載のデジタル一眼レフカメラに於けるフォーカシングスクリーンの位置調整装置。
【請求項３】
上記カンザ量は、厚みの異なるスペーサによって調整されることを特徴とする請求項２に記載のデジタル一眼レフカメラに於けるフォーカシングスクリーンの位置調整装置。
【請求項４】
カメラ本体と、
上記カメラ本体に装着可能な撮影レンズと、
上記カメラ本体内にあって上記撮影レンズを通過した被写体光束を受光する撮影用撮像素子と、
上記撮影用撮像素子の撮像光路内にあって、上記被写体光束をファインダ光路に導く第１の位置と、上記撮像光路から退避した第２の位置との間で移動可能な可動ミラーと、
上記撮影レンズの前方に配置された調整用チャートと、
上記可動ミラーを上記第２の位置に移動させた状態で、上記調整用チャートを移動させながら合焦位置を判定する第１の判定手段と、
上記ファインダ光路内に配置された測定用撮像素子と、
上記調整用チャートを上記第１の判定手段で決定された位置に固定し、且つ、上記可動ミラーを上記第１の位置に移動させた状態で、上記測定用撮像素子を移動させながら合焦位置を判定する第２の判定手段と、
上記第２の判定手段で判定された位置に基づいて、フォーカシングスクリーンの最適位置を決定する決定手段と、
を具備することを特徴とするデジタル一眼レフカメラに於けるフォーカシングスクリーンの位置調整装置。
【請求項５】
上記決定手段は、上記フォーカシングスクリーンを固定する際のカンザ量を決定することを特徴とする請求項４に記載のデジタル一眼レフカメラに於けるフォーカシングスクリーンの位置調整装置。
【請求項６】
上記カンザ量は、厚みの異なるスペーサによって調整されることを特徴とする請求項５に記載のデジタル一眼レフカメラに於けるフォーカシングスクリーンの位置調整装置。
【請求項７】
デジタル一眼レフカメラに於けるフォーカシングスクリーンの位置調整方法に於いて、
調整用チャートを移動させながら、カメラ本体内の撮像素子に対するベストピント位置を決定する第１のステップと、
上記カメラ本体のファインダ光路内に測定用の撮像素子を配置し、上記ベストピント位置に上記調整用チャートを固定した状態で、上記測定用撮像素子を移動させながら上記測定用撮像素子に対するベストピント位置を決定する第２のステップと、
上記測定用撮像素子に対するベストピント位置の情報に基づいて、フォーカシングスクリーンの位置を決定する第３のステップと、
を具備することを特徴とするデジタル一眼レフカメラに於けるフォーカシングスクリーンの位置調整方法。
【発明の詳細な説明】
【技術分野】
【０００１】
この発明は、デジタル一眼レフカメラに於けるフォーカシングスクリーンの位置調整装置及び位置調整方法に関し、より詳細には、デジタル一眼レフカメラに於ける撮像素子の結像面とフォーカシングスクリーンの合焦面との位置を調整する装置及びその位置調整方法に関するものである。
【背景技術】
【０００２】
一眼レフタイプのデジタルカメラに於いては、撮像素子の結像面に相当する位置にフォーカシングスクリーンが設けられており、撮影者はこのフォーカシングスクリーン上の画像を見て、現在撮影しようとしている被写体を確認するようになっている。
【０００３】
このようなフォーカシングスクリーンは、カメラの製造工程に於いて、取付け位置が調整される。これは、被写体から撮像素子までの距離と被写体からフォーカシングスクリーンまでの距離は、光学的に等しくなっていなければならず、等しくない場合は両者の距離を調整しなければならない。両者の距離が異なっているままでは、例えば、フォーカシングスクリーン上でピントが合っていても、実際に得られる画像はピントが合っていないことになるからである。
【０００４】
そのため、従来のフィルムを使用するタイプの一眼レフカメラに於いては、以下のようにして調整していた。
【０００５】
つまり、製造工程に於いて、ミラーユニットのフィルムレール面に鏡を置いてピントが合うように調整用治具のレンズを調整する。次いで、フオーカシングスクリーンに代えて鏡を置き、ピントが合うように調整用治具のレンズを調整する。そして、両者のレンズ位置の差に応じて、フォーカシングスクリーンの取付け位置を、カンザと称されるスペーサを挿入することにより調整していた。
【０００６】
このような調整方法は、長年に渡って行われているものであり、広く周知である。
【発明の開示】
【発明が解決しようとする課題】
【０００７】
ところが、一眼レフタイプのデジタルカメラの場合は、フィルムを使用するカメラのレール面に相当する位置に撮像素子が取り付けられており、この撮像素子を取り外して鏡を置いて調整するという方法は適用できないものであった。これは、撮像素子が精密機器であり、該撮像素子を取り付けている基板を取り外して位置調整することが、非常に困難であるからである。
【０００８】
この発明は上記実情に鑑みてなされたものであり、撮像素子が取付けられた基板を取り外すことなく、容易にフォーカシングスクリーンの位置調整が可能なデジタル一眼レフカメラに於けるフォーカシングスクリーンの位置調整装置及び位置調整方法を提供することを目的とする。
【課題を解決するための手段】
【０００９】
すなわち請求項１に記載の発明は、カメラ本体と、上記カメラ本体に装着可能な撮影レンズと、上記カメラ本体内にあって、上記撮影レンズを通過した被写体光束を受光する撮影用撮像素子と、上記撮影用撮像素子の撮影光路内にあって、上記被写体光束をファインダ光路に導く第１の位置と、上記撮像光路から退避した第２の位置との間で移動可能な可動ミラーと、上記撮影レンズの前方に配置された調整用チャートと、上記可動ミラーを上記第２の位置に移動させた状態で、上記調整用チャートを移動させながら上記撮影用撮像素子からの出力信号に基づくコントラスト値が最大となる位置を判定する第１の判定手段と、上記ファインダ光路側に配置された測定用撮像素子と、上記調整用チャートを上記第１の判定手段で決定された位置に固定し、かつ、上記可動ミラーを上記第１の位置に移動させた状態で、上記測定用撮像素子を移動させながら上記測定用撮像素子からの出力信号に基づくコントラスト値が最大となる位置を判定する第２の判定手段と、上記第２の判定手段で判定された位置に基づいて、フォーカシングスクリーンの調整量を決定する決定手段と、を具備することを特徴とする。
【００１０】
このような構成とすることにより、撮像素子が取付けられた基板を取り外すことなく、容易にフォーカシングスクリーンの位置調整が可能になる。
【００１１】
請求項２に記載の発明は、請求項１に記載の発明に於いて、上記決定手段で決定された上記フォーカシングスクリーンの調整量にしたがって、上記フォーカシングスクリーンを固定する際のカンザ量を決定することを特徴とする。
【００１２】
このような構成とすることにより、フォーカシングスクリーンの取付け位置を、その調整量に応じて容易に調整することができる。
【００１３】
請求項３に記載の発明は、請求項２に記載の発明に於いて、上記カンザ量は、厚みの異なるスペーサによって調整されることを特徴とする。
【００１４】
このような構成とすることにより、フォーカシングスクリーンの取り付け位置を容易に調整することができる。
【００１５】
請求項４に記載の発明は、カメラ本体と、上記カメラ本体に装着可能な撮影レンズと、上記カメラ本体内にあって上記撮影レンズを通過した被写体光束を受光する撮影用撮像素子と、上記撮影用撮像素子の撮像光路内にあって、上記被写体光束をファインダ光路に導く第１の位置と、上記撮像光路から退避した第２の位置との間で移動可能な可動ミラーと、上記撮影レンズの前方に配置された調整用チャートと、上記可動ミラーを上記第２の位置に移動させた状態で、上記調整用チャートを移動させながら合焦位置を判定する第１の判定手段と、上記ファインダ光路内に配置された測定用撮像素子と、上記調整用チャートを上記第１の判定手段で決定された位置に固定し、且つ、上記可動ミラーを上記第１の位置に移動させた状態で、上記測定用撮像素子を移動させながら合焦位置を判定する第２の判定手段と、上記第２の判定手段で判定された位置に基づいて、フォーカシングスクリーンの最適位置を決定する決定手段と、を具備することを特徴とする。
【００１６】
このような構成とすることにより、撮像素子が取付けられた基板を取り外すことなく、容易にフォーカシングスクリーンの位置調整が可能となる。
【００１７】
請求項５に記載の発明は、請求項４に記載の発明に於いて、上記決定手段は、上記フォーカシングスクリーンを固定する際のカンザ量を決定することを特徴とする。
【００１８】
このような構成とすることにより、フォーカシングスクリーンの取付け位置を、その調整量に応じて容易に調整することができる。
【００１９】
請求項６に記載の発明は、請求項５に記載の発明に於いて、上記カンザ量は、厚みの異なるスペーサによって調整されることを特徴とする。
【００２０】
このような構成とすることにより、フォーカシングスクリーンの取り付け位置を容易に調整することができる。
【００２１】
請求項７に記載の発明は、デジタル一眼レフカメラに於けるフォーカシングスクリーンの位置調整方法に於いて、調整用チャートを移動させながら、カメラ本体内の撮像素子に対するベストピント位置を決定する第１のステップと、上記カメラ本体のファインダ光路内に測定用の撮像素子を配置し、上記ベストピント位置に上記調整用チャートを固定した状態で、上記測定用撮像素子を移動させながら上記測定用撮像素子に対するベストピント位置を決定する第２のステップと、上記測定用撮像素子に対するベストピント位置の情報に基づいて、フォーカシングスクリーンの位置を決定する第３のステップと、を具備することを特徴とする。
【００２２】
このような構成とすることにより、撮像素子が取付けられた基板を取り外すことなく、容易にフォーカシングスクリーンの位置調整を行うことができる。
【発明の効果】
【００２３】
この発明によれば、撮像素子が取付けられた基板を取り外すことなく、容易にフォーカシングスクリーンの位置調整が可能なデジタル一眼レフカメラに於けるフォーカシングスクリーンの位置調整装置及び位置調整方法を提供することができる。
【発明を実施するための最良の形態】
【００２４】
以下、図面を参照してこの発明の実施形態を説明する。
【００２５】
（第１の実施形態）
図１は、この発明の第１の実施形態に係るフォーカシングレンズの位置調整装置の構成を示した図である。
【００２６】
図１に於いて、ベンチ１０上には、調整用チャート１１と、後述するミラーユニット２０を調整するためのユニット保持治具１２とが、所定距離をおいて配置されている。
【００２７】
このユニット保持治具１２は、上記調整用チャート１１からの光をミラーユニット２０に導くためのレンズ１３と、該ミラーユニット２０を取り付けるためのレンズマウント１４とが設けられている。
【００２８】
上記ミラーユニット２０のレンズマウント１４には、ボディマウント２１によってミラーユニット２０が取り付けられる。このミラーユニット２０は、一眼レフタイプのデジタルカメラのボディユニットに取り付けられるもので、上記ユニット保持治具１２に取り付けられた状態で、後述するようにフォーカシングスクリーンの位置が調整される。
【００２９】
ミラーユニット２０は、ユニット保持治具１２内のレンズ１３から入射される光を反射する回動可能なクイックリターンミラー２２を有している。このクイックリターンミラー２２で反射された光は、ミラーユニット２０の上方に位置されるビデオマイクロスコープ３０に至る。
【００３０】
上記クイックリターンミラー２２の中央部はハーフミラーになっており、該クイックリターンミラー２２がダウン（図示の位置）した際に一部の光束が透過する。そして、この透過した光束は、クイックリターンミラー２２に設置されたサブミラー３２で反射され、ＡＦセンサ３３に導かれる。尚、上記クイックリターンミラー２２のアップ時には、サブミラー３２は折り畳まれるようになっている。
【００３１】
上記クイックリターンミラーのアップ時（図示せず）は、ユニット保持治具１２内のレンズ１３を介して入射される光は、シャッタ３５を介してＣＣＤ基板３６に取り付けられた撮像素子であるＣＣＤ３７に到達する。このＣＣＤ３７で得られた信号は、カメラインターフェイス回路４０内のＣＣＤインターフェイス回路４１を介して、パーソナルコンピュータ（ＰＣ）４５に出力される。
【００３２】
カメラインターフェース回路４０は、該パーソナルコンピュータ４５とミラーユニット２０の間に設けられるもので、ミラーユニット２０の調整を行うための種々の回路で構成されている。例えば、カメラインターフェイス回路４０は、上述したＣＣＤインターフェイス回路４１の他、シャッタ３５のタイミングを制御するシャッタ制御回路４２と、クイックリターンミラー２２の動作を制御するミラーアップ／ダウン（ＵＰ／Ｄｏｗｎ）制御回路４３と、後述するカメラボディ内の不揮発性メモリの読出し、書き込みを行うための不揮発性メモリリード／ライト回路４４とを有して構成されている。
【００３３】
また、パーソナルコンピュータ４５は、ステッピングモータ駆動回路（１）４７でを介してステッピングモータ（１）４８を駆動する。このステッピングモータ４８は、移動機構４９を構成するもので、調整用チャート１１を光軸方向に移動させる機構を有している。
【００３４】
更に、パーソナルコンピュータ４５には、ビデオマイクロスコープ３０を鉛直方向に移動させるためのステッピングモータ（２）５２を駆動するためのステッピングモータ駆動回路（２）５１と、ビデオマイクロスコープ３０で得られた画像をパーソナルコンピュータ４５上に表示するためのビデオ信号変換回路５５とが接続されている。また、ステッピングモータ（２）５２は、移動機構５３を構成している。
【００３５】
上記ミラーユニット２０は、図２に示されるように構成されている。
【００３６】
図２に於いて、ミラーユニット２０は、図示されないカメラのボディユニットに組み込まれるもので、その前面部にはボディマウント２１が設けられている。そして、内部に回動可能に取り付けられているクイックリターンミラー２２の上方には、スクリーンユニット２５が取り付けられる。
【００３７】
このスクリーンユニット２５は、その外部に設けられた複数個の嵌合部２５ａに、ミラーユニット２０内に形成された複数個のボス２８が嵌挿されて、ミラーユニット２０に組み付けられる。そして、板バネである押え板５７を介してビス５８によって螺合されることにより、スクリーンユニット２５がミラーユニット２０に固着される。この際、ボス２８にスペーサとしてのカンザ２７が嵌挿されることにより、後述するように、ミラーユニット２０とスクリーンユニット２５との間隔が制御される。
【００３８】
図３は、上述したミラーユニット２０が装着されたボディユニット８５と交換レンズユニット６０から成る電子カメラの構成を示すブロック図である。
【００３９】
交換レンズユニット６０には、ボディユニット８５に設けられたボディマウント２１に、該交換レンズユニット６０を装着するためのレンズマウント６１が設けられている。そして、図示されない被写体からの光束が、撮影レンズ６２、光量調節用の絞り６３を介して、ミラーユニット２０内のＣＣＤ３７に導かれるように構成されている。
【００４０】
レンズＣＰＵ（ＬｎｓＣＰＵ）６４は、交換レンズユニット６０内の各部の動作制御を司るものであり、その内部には記録手段であるフラッシュ（Ｆｌｕｓｈ）ＲＯＭ６５が配置されている。このフラッシュＲＯＭ６５には、レンズＣＰＵ６４のプログラムコード、焦点位置のずれ量等の制御パラメータが記録されている。
【００４１】
更に、交換レンズユニット６０は、レンズモータ駆動回路６７と、絞りモータ駆動回路６８と、ＤＣモータ６９と、レンズ駆動機構７０と、円盤７１と、フォトインタラプタ（ＰＩ）７２と、ステッピングモータ７８と、絞り駆動機構７９とを有して構成されている。
【００４２】
上記レンズモータ駆動回路６７は、ＤＣモータ６９を駆動させて、レンズ駆動機構７０を介して撮影レンズ６２を光軸上で移動させる。また、ＤＣモータ６９の駆動により、所定方向に回転される円盤７１をフォトインタラプタ７２で検知することにより、撮影レンズ６２の移動量が得られる。更に、絞りモータ駆動回路６８は、ステッピングモータ７８を駆動させることによって、絞り駆動機構７９を介して絞り６３を駆動させる。
【００４３】
一方、ボディユニット８５に於いては、上述した交換レンズユニット６０内の撮影レンズ６２を介して入射される光線は、クイックリターンミラー２２で反射されて、フォーカシングスクリーン２６、ペンタプリズム８６を介して接眼レンズ８７に至る。また、図示されないが、クイックリターンミラー２２が光路より退避した場合は、撮影レンズ６２を通った光線は、シャッタ３５を介してＣＣＤ基板３６に取り付けられたＣＣＤ３７に結像される。
【００４４】
上記クイックリターンミラー２２のダウン時に該クイックリターンミラー２２を透過した光束は、サブミラー３２で反射されてＡＦセンサ３３に導かれる。
【００４５】
画像処理回路（ＡＳＩＣ）、各種インターフェイスや制御回路を含む構成のシステムコントローラ９０には、測光回路９１と、ミラー駆動機構９２と、撮像素子ＩＦ回路９３と、シャッタ駆動機構９４と、焦点検出回路９５と、不揮発性メモリ９６と、画像表示回路９９と、バスを介してフラッシュ（Ｆｌｕｓｈ）ＲＯＭ１００、ＳＤＲＡＭ１０１及びＳＲＡＭ１０２と、データ記録メディア１０３と、操作スイッチ（ＳＷ）１０４とが接続されている。また、このシステムコントローラ９０は、ボディマウント２１、交換レンズユニット６０内のレンズマウント６１を介して、レンズＣＰＵ６４と通信可能となっている。
【００４６】
尚、上記ミラー駆動機構９２、撮像素子ＩＦ回路９３、シャッタ駆動機構９４、焦点検出回路９５、不揮発性メモリ９６は、図１には示されないが、ミラーユニット２０内に含まれている。
【００４７】
上記測光回路９１は、図示されない被写体の輝度を測定して露出時間を決定するための回路である。また、ミラー駆動機構９２は、クイックリターンミラー２２のアップダウンの駆動を行うものである。
【００４８】
撮像素子ＩＦ回路９３は、撮像素子であるＣＣＤ３７を駆動するためのインターフェイス回路である。また、シャッタ駆動機構９４は、シャッタ３５の動きを制御するための機構である。
【００４９】
更に、焦点検出回路９５は、ＡＦセンサ３３に接続されて、撮影レンズ６２を通って入射された光線に基づいて焦点検出を行うための回路である。上記不揮発性メモリ９６は、ボディマウント２１の面からＣＣＤ３７の面までの距離（フランジバック）のデータの偏差量を記憶するためのもので、ＥＥＰＲＯＭ等で構成されている。
【００５０】
画像表示回路９９は、ＣＣＤ３７で撮像された画像データを表示するための回路であり、一般にはＴＦＴ等のカラーの液晶表示素子により構成される。
【００５１】
上記フラッシュＲＯＭ１００はシステムコントローラ９０を動作させるためのプログラムが記憶されている。また、ＳＤＲＡＭ１０１は、画像データ等を一時的に記憶するためのメモリであり、ＳＲＡＭ１０２は種々のワークエリアとして使用されるメモリである。データ記録メディア１０３は、圧縮された画像データが記録される。
【００５２】
更に、操作スイッチ１０４は、種々の動作をこの電子カメラに実行させるべく操作される多数のスイッチで構成される。
【００５３】
尚、ミラーユニット２０は、上述した図１と同じ構成であるので、図１と同一の部分には同一の参照番号を付して、その図示及び説明は省略する。
【００５４】
次に、図４及び図５のフローチャートを参照して、第１の実施形態に係るフォーカシングレンズの位置調整装置の測定動作について説明する。
【００５５】
図４は、このフォーカシングレンズの位置調整装置を操作するオペレータの動作を説明するフローチャートである。
【００５６】
フォーカシングレンズの位置調整装置の操作が開始されると、先ず、ステップＳ１にて、ミラーユニット２０が、ボディマウント２１とレンズマウント１４によってユニット保持治具１２に取り付けられる。次いで、ステップＳ２にて、パーソナルコンピュータ４５により、カンザ選択プログラムが実行される。このプログラムの実行により、スクリーンユニット２５をミラーユニット２０に組み込む際の高さ調整量が算出される。この高さ調整量が、選択されるカンザの厚みとなる。
【００５７】
こうしてステップＳ３でカンザ選択動作が終了すると、ステップＳ４に移行して、上述した高さ調整量に相当する厚みを有するカンザが選択される。そして、選択されたカンザ２７が、ミラーユニット２０のスクリーンユニット２５を組み付けるためのボス２８に嵌挿される。
【００５８】
次いで、ステップＳ５にて、スクリーンユニット２５が、ミラーユニット２０に組み付けられる。更に、ステップＳ６にて、組み付けられたスクリーンユニット２５に、フォーカシングスクリーン２６が組み付けられる。その後、ステップＳ７にて、ミラーユニット２０がレンズ保持治具１２から取り外されると、オペーレータによるフォーカシングレンズの位置調整装置が終了する。
【００５９】
尚、この図４のフローチャートに於いては、カンザ２７がボス２８に嵌挿されてからミラーユニット２０をユニット保持治具１２から取り外すとしているが、これに限られずに、ミラーユニット２０を取り外した後にカンザ２７が嵌挿されるようにしても良いのは勿論である。
【００６０】
図５は、フォーカシングレンズの位置調整装置を実際に実行するパーソナルコンピュータ４５の動作を説明するフローチャートである。
【００６１】
上述した図４のフローチャートのステップＳ２にて、オペレータによってカンザ選択プログラムが起動されると、本フローチャートが開始される。つまり、このプログラムが開始される時点では、調整されるミラーユニット２０はレンズ保持治具１２に取り付けられている状態である。
【００６２】
そして、先ず、ステップＳ１１にて、ステッピングモータ駆動回路（１）４７を介してステッピングモータ（１）４８が制御されて、調整用チャート１１が初期位置（遠点）に設定される。次いで、ミラーユニット２０内のクイックリターンミラー２２が、カメラインターフェイス回路４０内のミラーアップ／ダウン制御回路４３によって、図６（ａ）に示されるようにアップ位置に駆動される。
【００６３】
ステップＳ１３では、ＣＣＤインターフェイス回路４１を介してＣＣＤ３７へ露光開始信号が送られ、更にシャッタ制御回路４２によってシャッタ３５が所定時間だけ開かれることによって、露光が行われる。
【００６４】
露光が終了すると、続くステップＳ１４にて、クイックリターンミラー２２が、ミラーアップ／ダウン制御回路４２を介してダウン位置へ駆動される（図６（ｂ）参照）。そして、ステップＳ１５にて、ＣＣＤ３７から画像データが読み出される。更に、ステップＳ１６では、焦点検出エリアに対応する画像データから、コントラスト値が算出されてパーソナルコンピュータ４５内に記憶される。
【００６５】
次いで、ステップＳ１７に於いて、調整用チャート１１について、上記ステップＳ１１で設定された初期位置から最至近位置まで移動されたか否かが判定される。ここで、調整用チャート１１がまだ最至近位置に到達していない場合は、ステップＳ１８へ移行して移動機構４９によって所定量移動され、その後上記ステップＳ１２に移行する。
【００６６】
図７は、こうした調整用チャート１１の移動により得られた、コントラスト値とステッピングモータ（１）４８の駆動回数との関係を表した特性図である。ここで、コントラスト値（Ｃ）は、隣接する画素出力の差分の和を求めることにより算出される。  
Ｃ＝Σ｜Ｄi −Ｄi+1 ｜  
ここで、Ｄは画素出力を表している。
【００６７】
一方、調整用チャート１１が最至近位置まで到達したならば、ステップＳ１９に移行して、上記ステップＳ１６で算出されたコントラスト値が最大となる調整用チャート１１の位置が求められる。そして、ステップＳ２０にて、そのコントラスト値が最大となる位置へ調整用チャート１１が移動される。
【００６８】
こうして調整用チャート１１の移動が完了したならば、ステップＳ２１にて、ステッピングモータ駆動回路（２）５１を介してステッピングモータ（２）５２が制御されて、ビデオマイクロスコープ３０が初期位置（最至近位置）へ設定される。そして、ステップＳ２２にて、ビデオ信号変換回路５５を介してビデオ信号からチャート像のコントラスト値が算出されて、この値が記憶される。
【００６９】
次いで、ステップＳ２３に於いて、図６（ｂ）に示されるように、ビデオマイクロスコープ３０が上記ステップＳ２１で設定された初期位置から最遠点位置まで移動されたか否かが判定される。ここで、ビデオマイクロスコープ３０がまだ最遠点位置に到達していない場合は、ステップＳ２４へ移行して移動機構５３によって所定量移動される。
【００７０】
一方、ビデオマイクロスコープ３０が最遠点位置まで到達したならば、ステップＳ２５に移行して、上記ステップＳ２２で算出されたコントラスト値が最大となる調整用チャート１１の位置が求められる。そして、ステップＳ２６にて、予め設定されている基準値とコントラスト値が最大となるチャート像の位置との差から、嵌挿されるべくカンザの厚さが決定され、表示画面等に出力される。
【００７１】
このようにして、フォーカシングレンズの位置調整装置の測定動作が終了する。
【００７２】
（第２の実施形態）
次に、図８及び図９のフローチャートを参照して、この発明の第２の実施形態に係るフォーカシングレンズの位置調整装置の測定動作について説明する。
【００７３】
この第２の実施形態では、上述した第１の実施形態とは異なり、スクリーンユニット２０に代えて基準ガラスを用いて基準位置を設定するようにしている。そして、この第２の実施の形態に於いて、上記基準ガラス以外の該位置調整装置の構成は、上述した第１の実施の形態と同じであるので、図１乃至図３と同一の部分には同一の参照番号を付して、その図示及び説明は省略し、異なる構成及び動作についてのみ説明する。
【００７４】
図８は、この発明の第２の実施形態に於けるフォーカシングレンズの位置調整装置を操作するオペレータの動作を説明するフローチャートである。
【００７５】
フォーカシングレンズの位置調整装置の操作が開始されると、先ず、ステップＳ３１にて、ミラーユニット２０が、ボディマウント２１とレンズマウント１４によってユニット保持治具１２に取り付けられる。次いで、ステップＳ３２にて、スクリーンユニット２５の代わりに、基準ガラス１０７が上記ミラーユニット２０上に載置される。
【００７６】
図１１は、この基準ガラス１０７の構造例を示した図である。
【００７７】
この基準ガラス１０７は、その表面に、例えばアルミニウム（Ａｌ）蒸着線１０８が、複数本設けられている。尚、このアルミニウム蒸着線１０８を用いた調整の詳細は後述する。
【００７８】
次に、ステップＳ３３では、パーソナルコンピュータ４５により、カンザ選択プログラムが実行される。このプログラムの実行により、基準ガラス１０７をミラーユニット２０に組み込んだ際の基準位置が求められる。
【００７９】
そして、ステップＳ３４にてカンザ選択動作が終了すると、ステップＳ３５に移行して、基準ガラス１０７がミニユニット２０から取り外される。
【００８０】
次いで、ステップＳ３６にて、パーソナルコンピュータ４５により算出された厚みに近いカンザ２７が選択される。ここで選択されたカンザ２７が、ミラーユニット２０のスクリーンユニット２５を組み付けるためのボス２８に嵌挿される。
【００８１】
ステップＳ３７では、スクリーンユニット２５が、ミラーユニット２０に組み付けられる。更に、ステップＳ３８にて、組み付けられたスクリーンユニット２５に、フォーカシングスクリーン２６が組み付けられる。その後、ステップＳ３９にて、ミラーユニット２０がレンズ保持治具１２から取り外されると、オペーレータによるフォーカシングレンズの位置調整装置が終了する。
【００８２】
図９は、第２の実施形態に於けるフォーカシングレンズの位置調整装置を実際に実行するパーソナルコンピュータ４５の動作を説明するフローチャートである。
【００８３】
尚、この図９に示されるフローチャートに於いて、ステップＳ４１〜Ｓ５１の処理動作は、上述した第１の実施形態に於ける図５のフローチャートのステップＳ１１〜Ｓ２１と同様であるので、ここでは説明を省略する。
【００８４】
また、上記ステップＳ４１〜Ｓ５０の処理動作中のミラーユニット２０等は、図１０（ａ）の概念図に示されるような構成となっている。
【００８５】
ステップＳ５１では、ステッピングモータ駆動回路（２）５１を介してステッピングモータ（２）５２が制御され、ビデオマイクロスコープ３０が初期位置（最至近位置）へ設定される。このステップＳ５１〜Ｓ６３の処理動作中のミラーユニット２０等は、図１０（ｂ）の概念図に示されるような構成となっている。
【００８６】
ステップＳ５２では、ビデオ信号の画像取り込みエリアが、ミラーユニット２０に載置された基準ガラス１０７に設けられた蒸着線１０８の位置に合わせられる。次いで、ステップＳ５３にて、ビデオ信号変換回路５５を介してビデオ信号から上記基準ガラス１０７の蒸着線１０８のコントラスト値が算出されて、この値が記憶される。
【００８７】
そして、ステップＳ５４に於いて、ビデオマイクロスコープ３０が上記ステップＳ５１で設定された初期位置から最遠点位置まで移動されたか否かが判定される。ここで、ビデオマイクロスコープ３０がまだ最遠点位置に到達していない場合は、ステップＳ５５へ移行して移動機構５３によって所定量移動される。その後、上記ステップＳ５３に移行する。
【００８８】
一方、上記ステップＳ５４にて、ビデオマイクロスコープ３０が最遠点位置まで到達したならば、ステップＳ５６に移行して、上記ステップＳ５３で記憶されたコントラスト値の最大値から、基準ガラス１０７の蒸着線１０８の位置が算出される。
【００８９】
この後、ステップＳ５７にて、ステッピングモータ駆動回路（２）５１を介してステッピングモータ（２）５２が制御され、再びビデオマイクロスコープ３０が初期位置（最至近位置）へ設定される。そして、ステップＳ５８にて、基準ガラス１０７の蒸着線１０８からずらした位置に、ビデオ信号の画像取り込みエリアが設定される。すなわち、図１１に示されるように設けられている、隣接する蒸着線１０８の間隙等、この基準ガラス１０７を介しても調整用チャート１１のみが見える（蒸着線１０８は見えない）位置に、上記画像取り込みエリアが設定される。
【００９０】
次いで、ステップＳ５９では、ビデオ信号変換回路５５を介してビデオ信号からチャート像のコントラスト値が算出されて、この値が記憶される。
【００９１】
そして、ステップＳ６０に於いて、ビデオマイクロスコープ３０が上記ステップＳ５７で設定された初期位置から最遠点位置まで移動されたか否かが判定される。ここで、ビデオマイクロスコープ３０がまだ最遠点位置に到達していない場合は、ステップＳ６１へ移行して移動機構５３によって所定量移動された後、上記ステップＳ５９に移行する。
【００９２】
一方、ビデオマイクロスコープ３０が最遠点位置まで到達したならば、ステップＳ６２に移行して、上記ステップＳ２２で算出されたコントラスト値が最大となる調整用チャート１１の位置が求められる。
【００９３】
そして、ステップＳ６３にて、上記ステップＳ５３で記憶された蒸着線１０８の位置と上記ステップＳ５９で記憶されたチャート像の位置との差から、嵌挿されるべくカンザの厚さが決定され、表示画面等に出力される。この差が、図１０（ｂ）に示されるδである。この場合、基準ガラス１０７の屈折率とフォーカシングスクリーン２６の材質の屈折率との差が補正されることによって、カンザの厚さが算出される。
【００９４】
このようにして、フォーカシングレンズの位置調整装置の測定動作が終了する。
【００９５】
（第３の実施形態）
ところで、上述した第１及び第２の実施形態では、フォーカシングレンズの位置調整装置について述べたが、この装置の位置調整動作にいくつかの動作を加えることによって、フランジバックのズレを測定する装置として使用することができる。以下に述べる第３の実施形態は、こうしたフランジバックのズレを測定する装置として使用した例である。
【００９６】
尚、この第３の実施の形態に於いて、位置調整装置の構成は、上述した第１及び第２の実施の形態と同じであるので、図１乃至図３と同一の部分には同一の参照番号を付して、その図示及び説明は省略し、異なる構成及び動作についてのみ説明する。
【００９７】
図１２は、フランジバックのずれ測定を説明するための図である。
【００９８】
同図に於いて、ｆはレンズ１３の焦点距離、ｘはこのレンズ１３の焦点から基準位置までの距離、Δｘは調整用チャート１１と基準位置との差、Ｃは設計上のボディマウント２１からＣＣＤ３７の取付け位置までの距離（フランジバック）、δｘはこの設計上の位置と実際のＣＣＤの位置との差（ズレ量）である。
【００９９】
基準位置に於ける縦の倍率（μ）は、図式により求められる。  
μ＝ｆ2 ／ｘ2  
設計上の位置にＣＣＤが存在する状態のとき、調整用チャート１１を基準位置に設定すれば、この調整用チャート１１のチャート像はＣＣＤ３７上にピントが合う。上述した縦の倍率（μ）とΔｘ、δｘとは、以下の関係式が成立する。  
δｘ＝μ×Δｘ
図１３は、この第３の実施形態に於けるフォーカシングレンズの位置調整装置の動作を説明するフローチャートである。
【０１００】
尚、この図１３に示されるフローチャートに於いて、ステップＳ７１〜Ｓ８０、及びステップＳ８４〜Ｓ８９の処理動作は、上述した第１の実施形態に於ける図５のフローチャートのステップＳ１１〜Ｓ２０、及びステップＳ２１〜２６と同様であるので、ここでは説明を省略する。
【０１０１】
ステップＳ８０にて調整用チャート１１が移動されると、続くステップＳ８１にて、該調整用チャート１１の基準位置と現在のチャート位置との差（Δｘ；図１２参照）が検出される。次いで、ステップＳ８２にて、縦の倍率（μ）とΔｘから、フランジバックの長さのズレ量（δｘ）が算出される。
【０１０２】
そして、ステップＳ８３にて上記ズレ量が、ミラーユニット２０内の不揮発性メモリ９６に記録される。その後、ステップＳ８４に移行してビデオマイクロスコープ３０が移動される。
【０１０３】
このようにして、フランジバックのズレを測定することができる。
【０１０４】
図１４は、第３の実施形態に於けるフォーカシングレンズの位置調整装置の別の動作例を説明するフローチャートである。
【０１０５】
尚、この図１４に示されるフローチャートに於いて、ステップＳ９１〜Ｓ１００、及びステップＳ１０４〜Ｓ１１６の処理動作は、上述した第２の実施形態に於ける図９のフローチャートのステップＳ４１〜Ｓ５０、及びステップＳ５１〜６３と同様であるので、ここでは説明を省略する。
【０１０６】
ステップＳ１００にて調整用チャート１１が移動されると、続くステップＳ１０１にて、該調整用チャート１１の基準位置と現在のチャート位置との差（Δｘ；図１２参照）が検出される。次いで、ステップＳ１０２にて、縦の倍率（μ）とΔｘから、フランジバックの長さのズレ量（δｘ）が算出される。
【０１０７】
そして、ステップＳ１０３にて上記ズレ量が、ミラーユニット２０内の不揮発性メモリ９６に記録される。その後、ステップＳ１０４に移行してビデオマイクロスコープ３０が移動される。
【０１０８】
このようにして、フランジバックのズレを測定することができる。
【０１０９】
尚、上述した実施形態に於いては、何れも調整用チャート１１を移動させた例について述べたが、これに限られるものではない。例えば、調整用チャート１１を固定して、ミラーユニット２０を取り付けたレンズ保持治具１２を光軸方向に移動させるようにしても良い。
【図面の簡単な説明】
【０１１０】
【図１】この発明の第１の実施形態に係るフォーカシングレンズの位置調整装置の構成を示した図である。
【図２】図１に示されるミラーユニット２０の構造を示した斜視図である。
【図３】ミラーユニット２０が装着されたボディユニット８５と交換レンズユニット６０から成る電子カメラの構成を示すブロック図である。
【図４】この発明の第１の実施形態に係るフォーカシングレンズの位置調整装置の測定動作について説明するもので、オペレータの動作を説明するフローチャートである。
【図５】この発明の第１の実施形態に係るフォーカシングレンズの位置調整装置の測定動作について説明するもので、フォーカシングレンズの位置調整装置を実際に実行するパーソナルコンピュータ４５の動作を説明するフローチャートである。
【図６】第１の実施形態に係るフォーカシングレンズの位置調整装置の測定動作を説明する図である。
【図７】調整用チャート１１の移動により得られた、コントラスト値とステッピングモータ（１）４８の駆動回数との関係を表した特性図である。
【図８】この発明の第２の実施形態に係るフォーカシングレンズの位置調整装置の測定動作について説明するもので、オペレータの動作を説明するフローチャートである。
【図９】この発明の第２の実施形態に係るフォーカシングレンズの位置調整装置の測定動作について説明するもので、フォーカシングレンズの位置調整装置を実際に実行するパーソナルコンピュータ４５の動作を説明するフローチャートである。
【図１０】第２の実施形態に係るフォーカシングレンズの位置調整装置の測定動作を説明する図である。
【図１１】第２の実施形態に係るフォーカシングレンズの位置調整装置で使用される基準ガラス１０７の構造例を示した図である。
【図１２】この発明の第３の実施形態に係るフォーカシングレンズの位置調整装置の測定動作について説明するもので、フランジバックのずれ測定を説明するための図である。
【図１３】この発明の第３の実施形態に於けるフォーカシングレンズの位置調整装置の動作を説明するフローチャートである。
【図１４】この発明の第３の実施形態に於けるフォーカシングレンズの位置調整装置の別の動作例を説明するフローチャートである。
【符号の説明】
【０１１１】
１０…ベンチ、１１…調整用チャート、１２…ユニット保持治具、１３…レンス図、１４…レンズマウント、２０…ミラーユニット、２１…ボディマウント、２２…クイックリターンミラー、２５…スクリーンユニット、２５ａ…嵌合部、２６…フォーカシングスクリーン、２７…カンザ、２８…ボス、３０…ビデオマイクロスコープ、３３…ＡＦセンサ、３６…ＣＣＤ基板、３７…ＣＣＤ、４０…カメラインターフェイス回路、４１…ＣＣＤインターフェイス回路、４５…パーソナルコンピュータ（ＰＣ）、４８…ステッピングモータ（１）、５２…ステッピングモータ（２）、６０…交換レンズユニット、６２…撮影レンズ、６３…絞り、６４…レンズＣＰＵ（ＬｎｓＣＰＵ）、８５…ボディユニット、９０…システムコントローラ、９１…測光回路、９２…ミラー駆動機構、９３…撮像素子ＩＦ回路、９４…シャッタ駆動機構、９５…焦点検出回路、９６…不揮発性メモリ、１０４…操作スイッチ、１０７…基準ガラス、１０８…アルミニウム（Ａｌ）蒸着線。
【図１】
2005084099.tif 000003
【図２】
2005084099.tif 000004
【図３】
2005084099.tif 000005
【図４】
2005084099.tif 000006
【図５】
2005084099.tif 000007
【図６】
2005084099.tif 000008
【図７】
2005084099.tif 000009
【図８】
2005084099.tif 000010
【図９】
2005084099.tif 000011
【図１０】
2005084099.tif 000012
【図１１】
2005084099.tif 000013
【図１２】
2005084099.tif 000014
【図１３】
2005084099.tif 000015
【図１４】
2005084099.tif 000016